(57)【特許請求の範囲】
【請求項１】
複数の加入者収容装置と、複数の冗長エッジと、前記複数の加入者収容装置と前記複数の冗長エッジとの間の論理パスを制御する制御装置と、を有する論理パス制御システムであって、
前記制御装置は、
前記複数の加入者収容装置に対して前記冗長エッジ向けに設定する前記論理パスの数を、前記加入者収容装置から収集した加入者情報を基に、前記複数の加入者収容装置の各々の加入者数に応じて、各加入者収容装置毎に決定する決定部と、
前記決定部により決定された数の論理パスを、前記複数の加入者収容装置と、前記論理パスの数分の予め定義された前記複数の冗長エッジとの間に設定する設定部と
を有することを特徴とする論理パス制御システム。
【請求項２】
前記制御装置の決定部は、加入者数の少ない加入者収容装置ほど、前記論理パスの数が少なくなる様に、前記論理パスの数を決定することを特徴とする請求項１に記載の論理パス制御システム。
【請求項３】
前記加入者数は、前記複数の加入者収容装置により提供される特定サービスの加入者数であることを特徴とする請求項１に記載の論理パス制御システム。
【請求項４】
制御装置が、複数の加入者収容装置と複数の冗長エッジとの間の論理パスを制御する論理パス制御方法であって、
前記複数の加入者収容装置に対して前記冗長エッジ向けに設定する前記論理パスの数を、前記加入者収容装置から収集した加入者情報を基に、前記複数の加入者収容装置の各々の加入者数に応じて、各加入者収容装置毎に決定する決定工程と、
前記決定工程にて決定された数の論理パスを、前記複数の加入者収容装置と、前記論理パスの数分の予め定義された前記複数の冗長エッジとの間に設定する設定工程と
を含むことを特徴とする論理パス制御方法。
【発明の詳細な説明】
【技術分野】
【０００１】
本発明は、論理パス制御システム、及び論理パス制御方法に関する。
【背景技術】
【０００２】
従来、エッジルータ等の装置間冗長を用いた加入者情報やトラヒックの処理は、現用のエッジルータ装置（以下、「現用エッジ」と記す。）及び複数の冗長用のエッジルータ装置（以下、「冗長エッジ」と記す。）と、複数の加入者収容装置（ＯＬＴ：Optical  Line  Terminal）との間に設定された論理パスを用いて行われる。図１１は、従来技術における論理パスの設定方法を説明するための図である。図１１において、現用エッジ２５０−１との論理パスＬ２０１ａ〜Ｌ２０４ａを実線により示し、冗長エッジ２５０−２、２５０−３、２５０−Ｙ（Ｙは自然数）との論理パスＬ２０１ｂ〜Ｌ２０４ｂ、Ｌ２０１ｃ〜Ｌ２０４ｃ、Ｌ２０１ｄ〜Ｌ２０４ｄを破線により示す。
【０００３】
図１１に示す様に、冗長エッジが複数存在する場合、現用エッジの故障等による現用エッジから冗長エッジへの筐体の切替えに備えて、従来の論理パス管理制御装置２１０は、事前に、論理パスをフルメッシュで設定しておくこととなる。例えば、現用エッジ２５０−１に故障が発生した場合、冗長エッジ２５０−２への筐体切替えが発生し、冗長エッジ２５０−２は、論理パスＬ２０１ｂ〜Ｌ２０４ｂにより、ＯＬＴ２４０−１、２４０−２、２４０−Ｘ−１、２４０−Ｘ（Ｘは自然数）の各々に対し、切替わり通知信号２０１Ｓ〜２０４Ｓを送信する。この様な冗長エッジへの切替えの高速化に向けて、論理パス管理制御装置２１０は、論理パスＬ２０１ｂ〜Ｌ２０４ｂに加えて、他の切替え先である論理パスＬ２０１ｃ〜Ｌ２０４ｃ、Ｌ２０１ｄ〜Ｌ２０４ｄを事前に設定する。
【先行技術文献】
【非特許文献】
【０００４】
【非特許文献１】中務諭士、大坂健、植松芳彦、川端明生、木寺徹、“可用性・運用性の高いネットワークエッジシステム構成法”、信学技報（NS2011-6）、pp.31-36、2011年4月
【発明の概要】
【発明が解決しようとする課題】
【０００５】
しかしながら、上述した従来の技術には、以下の様な問題点があった。すなわち、従来技術における論理パスの設定方法では、現用エッジの故障に伴う冗長エッジへの切替えをより高速に行うため、エッジ冗長管理制御装置に接続された全ての冗長エッジと全ての加入者収容装置との間において、事前にフルメッシュでの論理パスの設定が行われる。例えば、図１１に示した例では、Ｘ×Ｙ本の論理パスが設定されることになる。従って、論理パスネットワークのスケールが増大し、論理パス管理制御装置２１０による管理対象の論理パス数が膨大になる可能性がある。その結果、論理パスの管理や制御が困難となる。
【０００６】
開示の技術は、上記に鑑みてなされたものであって、論理パスの数を削減することができる論理パス制御システム、及び論理パス制御方法を提供することを目的とする。
【課題を解決するための手段】
【０００７】
上述した課題を解決し、目的を達成するために、本願の開示する論理パス制御システムは、一つの態様において、複数の第１通信装置と、複数の第２通信装置と、前記複数の第１通信装置と前記複数の第２通信装置との間の論理パスを制御する制御装置と、を有する論理パス制御システムであって、前記制御装置は、前記複数の第１通信装置に設定する前記論理パスの数を、各第１通信装置毎に決定する決定部と、前記決定部により決定された数の論理パスを、前記複数の第１通信装置と、前記複数の第２通信装置との間に設定する設定部とを有する。
【０００８】
また、本願の開示する論理パス制御方法は、一つの態様において、制御装置が、複数の第１通信装置と複数の第２通信装置との間の論理パスを制御する論理パス制御方法であって、前記複数の第１通信装置に設定する前記論理パスの数を、各第１通信装置毎に決定する決定工程と、前記決定工程にて決定された数の論理パスを、前記複数の第１通信装置と、前記複数の第２通信装置との間に設定する設定工程とを含む。
【発明の効果】
【０００９】
本願の開示する論理パス制御システム、及び論理パス制御方法は、論理パスの数を削減することができるという効果を奏する。
【図面の簡単な説明】
【００１０】
【図１】図１は、方式１−１に係る論理パス制御システムの構成を示す図である。
【図２】図２は、方式１−２に係る論理パス制御システムの構成を示す図である。
【図３】図３は、論理パス管理制御装置の構成を示す図である。
【図４】図４は、加入者収容装置管理制御装置の構成を示す図である。
【図５】図５は、エッジ冗長管理制御装置の構成を示す図である。
【図６】図６は、加入者収容装置の構成を示す図である。
【図７】図７は、現用エッジの構成を示す図である。
【図８】図８は、論理パス制御システムの動作を説明するための図である。
【図９】図９は、論理パス制御システムの変形例を説明するための図である。
【図１０】図１０は、論理パス制御プログラムによる情報処理がコンピュータを用いて具体的に実現されることを示す図である。
【図１１】図１１は、従来技術における論理パスの設定方法を説明するための図である。
【発明を実施するための形態】
【００１１】
以下に、本願の開示する論理パス制御システム、及び論理パス制御方法の実施例を、図面を参照しながら詳細に説明する。なお、以下の実施例により本願の開示する論理パス制御システム、及び論理パス制御方法が限定されるものではない。
【００１２】
まず、本願の開示する一実施例に係る論理パス制御システムの構成を説明する。
【００１３】
（方式１−１）
図１は、方式１−１に係る論理パス制御システム１の構成を示す図である。図１に示す様に、論理パス制御システム１は、論理パス管理制御装置１０と、加入者収容装置管理制御装置２０と、エッジ冗長管理制御装置３０と、加入者収容装置（ＯＬＴ）４０−１、４０−２、４０−Ｘ−１、４０−Ｘ（Ｘは自然数）と、現用エッジ５０−１と、冗長エッジ５０−２、５０−３、５０−Ｙ（Ｙは自然数）とを有する。加入者収容装置４０−１、４０−２、４０−Ｘ−１、４０−Ｘと現用エッジ５０−１及び冗長エッジ５０−２、５０−３、５０−Ｙとの間には、複数の論理パスＬ１ａ、Ｌ１ｂ、Ｌ２ａ、Ｌ２ｂ、Ｌ３ａ、Ｌ３ｂ、Ｌ３ｃ、Ｌ３ｄ、Ｌ４ａ、Ｌ４ｂ、Ｌ４ｃ、Ｌ４ｄにより、論理パスネットワークＮが形成される。
【００１４】
論理パス管理制御装置１０は、全ての冗長エッジ５０−２、５０−３、５０−Ｙへ論理パスを設定するのではなく、各加入者収容装置４０−１、４０−２、４０−Ｘ−１、４０−Ｘに収容されている加入者数に応じて、予め定義された冗長エッジに向けて論理パスを設定する。論理パス管理制御装置１０は、収集したＯＬＴ加入者数情報を基に、冗長エッジ向けに設定する論理パスの本数を決定し、該本数分の予め定義された冗長エッジに向けて論理パスを設定する。
【００１５】
例えば、加入者収容装置４０−１において、冗長エッジ５０−２、５０−３、５０−Ｙの順に論理パスの設定順位が定義されている場合、加入者収容装置４０−１の加入者数は５人と少なく、冗長エッジ向け論理パス数は“１本”である。従って、論理パス管理制御装置１０は、冗長エッジ向けに設定する論理パスの本数を、加入者数“５人”に対応する論理パス本数“１本”に決定すると共に、設定順位が１位の冗長エッジ５０−２を、論理パスを設定する冗長エッジに選出する。その結果、加入者収容装置４０−１と冗長エッジ５０−２との間に論理パスＬ１ｂが設定される。
【００１６】
これに対し、加入者収容装置４０−Ｘの様に、加入者数が多い加入者収容装置の場合には、冗長エッジ向け論理パス数も増加する。例えば、加入者収容装置４０−Ｘの場合、論理パス管理制御装置１０は、冗長エッジ向けに設定する論理パスの本数を、加入者数“１０００人”に対応する論理パス本数“Ｋ本（Ｋは自然数）”に決定すると共に、予め定義されたＫ本分の冗長エッジ５０−２、５０−３、５０−Ｙを、論理パスを設定する冗長エッジに選出する。その結果、加入者収容装置４０−Ｘと冗長エッジ５０−２、５０−３、５０−Ｙとの間に、それぞれ論理パスＬ４ｂ、Ｌ４ｃ、Ｌ４ｄが設定される。これにより、論理パス管理制御装置１０の管理及び制御対象となる論理パスの数は、例えば、従前の１６本（＝４本×４装置）から１２本（＝２本×２装置＋４本×２装置）に減少する。
【００１７】
（方式１−２）
図２は、方式１−２に係る論理パス制御システム２の構成を示す図である。図２に示す様に、方式１−２に係る論理パス制御システム２の構成は、上述した方式１−１に係る論理パス制御システム１の構成と同様である。従って、共通する構成要素には、同一の参照符号を用いると共に、その詳細な説明は省略する。
【００１８】
方式１−２が方式１−１と異なる点は、冗長エッジ向け論理パス数の決定に際して特定サービスの加入者数を用いる点である。すなわち、方式１−２に係る論理パス管理制御装置１０は、収集した特定サービスの加入者数情報を基に、冗長エッジ向けに設定する論理パスの本数を決定し、該本数分の予め定義された冗長エッジに向けて論理パスを設定する。
【００１９】
例えば、加入者収容装置４０−１において、冗長エッジ５０−２、５０−３、５０−Ｙの順に論理パスの設定順位が定義されている場合、加入者収容装置４０−１の特定サービス加入者数は６０人であり、冗長エッジ向け論理パス数は“２本”である。従って、論理パス管理制御装置１０は、冗長エッジ向けに設定する論理パスの本数を、特定サービス加入者数“６０人”に対応する論理パス本数“２本”に決定すると共に、設定順位が１位及び２位の冗長エッジ５０−２、５０−３を、論理パスを設定する冗長エッジに選出する。その結果、加入者収容装置４０−１と冗長エッジ５０−２、５０−３との間に論理パスＬ１ｂ、Ｌ１ｃが設定される。
【００２０】
同様に、加入者収容装置４０−Ｘにおいて、冗長エッジ５０−２、５０−３、５０−Ｙの順に論理パスの設定順位が定義されている場合、加入者収容装置４０−Ｘの特定サービス加入者数は５０人であり、冗長エッジ向け論理パス数は“２本”である。従って、論理パス管理制御装置１０は、冗長エッジ向けに設定する論理パスの本数を、特定サービス加入者数“５０人”に対応する論理パス本数“２本”に決定すると共に、設定順位が１位及び２位の冗長エッジ５０−２、５０−３を、論理パスを設定する冗長エッジに選出する。その結果、加入者収容装置４０−Ｘと冗長エッジ５０−２、５０−３との間に論理パスＬ４ｂ、Ｌ４ｃが設定される。これにより、論理パス管理制御装置１０の管理及び制御対象となる論理パスの数は、例えば、従前の１６本（＝４本×４装置）から１２本（＝３本×４装置）に減少する。
【００２１】
次に、論理パス制御システム１を構成する各装置の構成を説明する。
【００２２】
図３は、論理パス管理制御装置１０の構成を示す図である。図３に示す様に、論理パス管理制御装置１０は、論理パス管理部１１ａと論理パス設定部１１ｂと冗長エッジ向け論理パス計算部１２と加入者収容装置情報格納部１３ａとエッジ情報格納部１３ｂと加入者収容装置情報収集部１４ａとエッジ情報収集部１４ｂと入出力部１５とを有する。論理パス管理制御装置１０は更に、加入者収容装置設定部１６ａとエッジ設定部１６ｂと加入者収容装置管理制御装置連携部１７ａとエッジ冗長管理制御装置連携部１７ｂとを有する。これら各構成部分は、一方向又は双方向に、信号やデータの入出力が可能な様に接続されている。
【００２３】
論理パス管理部１１ａは、論理パスの利用状況（例えば、現用か冗長か）を管理する。論理パス設定部１１ｂは、加入者収容装置と現用エッジ及び冗長エッジとの間に論理パスを設定する。冗長エッジ向け論理パス計算部１２は、収集した加入者数情報を基に論理パス本数を決定し、論理パスを設定する冗長エッジと加入者収容装置とを決定する。加入者収容装置情報格納部１３ａは、加入者収容装置から収集した情報（例えば、加入者数情報）を格納する。エッジ情報格納部１３ｂは、現用エッジ及び冗長エッジから収集した情報を格納する。加入者収容装置情報収集部１４ａは、加入者収容装置から情報を収集する。エッジ情報収集部１４ｂは、現用エッジ及び冗長エッジから情報を収集する。入出力部１５は、各種情報の入出力を行う。加入者収容装置設定部１６ａは、加入者収容装置へ論理パスを設定する。エッジ設定部１６ｂは、現用エッジ及び冗長エッジへ論理パスを設定する。加入者収容装置管理制御装置連携部１７ａは、加入者収容装置の論理パス情報を連携する。エッジ冗長管理制御装置連携部１７ｂは、現用エッジ及び冗長エッジの論理パス情報を連携する。
【００２４】
図４は、加入者収容装置管理制御装置２０の構成を示す図である。図４に示す様に、加入者収容装置管理制御装置２０は、論理パス設定部２１と論理パス管理部２２と論理パス管理制御装置連携部２３と入出力部２４と加入者情報収集部２５と加入者情報管理部２６とを有する。これら各構成部分は、一方向又は双方向に、信号やデータの入出力が可能な様に接続されている。
【００２５】
論理パス設定部２１は、加入者収容装置に論理パスを設定させる。論理パス管理部２２は、加入者収容装置に設定された論理パスの利用状況を管理する。論理パス管理制御装置連携部２３は、論理パス管理制御装置１０との間で論理パス情報を連携する。入出力部２４は、各種情報（例えば、論理パス情報）の入出力を行う。加入者情報収集部２５は、加入者収容装置から加入者情報（例えば、加入者数情報）を収集する。加入者情報管理部２６は、収集された加入者情報を管理する。
【００２６】
図５は、エッジ冗長管理制御装置３０の構成を示す図である。図５に示す様に、エッジ冗長管理制御装置３０は、論理パス設定部３１と論理パス管理部３２と論理パス管理制御装置連携部３３と入出力部３４とエッジ情報収集部３５とエッジ情報管理部３６とを有する。これら各構成部分は、一方向又は双方向に、信号やデータの入出力が可能な様に接続されている。
【００２７】
論理パス設定部３１は、現用エッジ及び冗長エッジに論理パスを設定させる。論理パス管理部３２は、現用エッジ及び冗長エッジに設定された論理パスの利用状況を管理する。論理パス管理制御装置連携部３３は、論理パス管理制御装置１０との間で論理パス情報を連携する。入出力部３４は、各種情報（例えば、論理パス情報）の入出力を行う。エッジ情報収集部３５は、現用エッジ及び冗長エッジからエッジ情報を収集する。エッジ情報管理部３６は、収集されたエッジ情報を管理する。
【００２８】
図６は、加入者収容装置４０−１の構成を示す図である。図６に示す様に、加入者収容装置４０−１は、加入者情報収集部４１−１と加入者情報管理部４２−１と加入者情報設定部４３−１と加入者情報通知部４４−１と論理パス情報収集部４５−１と論理パス管理部４６−１と入出力部４７−１と論理パス設定部４８−１とを有する。これら各構成部分は、一方向又は双方向に、信号やデータの入出力が可能な様に接続されている。
【００２９】
加入者情報収集部４１−１は、加入者情報（例えば、加入者数情報）を収集する。加入者情報管理部４２−１は、加入者情報を管理する。加入者情報設定部４３−１は、加入者情報を設定する。加入者情報通知部４４−１は、加入者情報と論理パス情報とを論理パス管理制御装置１０に通知する。論理パス情報収集部４５−１は、論理パス情報を収集する。論理パス管理部４６−１は、加入者収容装置４０−１と現用エッジ及び冗長エッジとの間に設定された論理パスを管理する。入出力部４７−１は、各種情報（例えば、加入者情報、論理パス情報）の入出力を行う。論理パス設定部４８−１は、加入者収容装置４０−１と現用エッジ及び冗長エッジとの間に論理パスを設定する。
【００３０】
以上、加入者収容装置４０−１の構成を代表的に説明したが、他の加入者収容装置４０−２、４０−Ｘ−１、４０−Ｘの構成は、加入者収容装置４０−１の構成と同様であるので、その図示及び詳細な説明は省略する。
【００３１】
図７は、現用エッジ５０−１の構成を示す図である。図７に示す様に、現用エッジ５０−１は、エッジ情報収集部５１−１とエッジ情報管理部５２−１とエッジ設定部５３−１とエッジ情報通知部５４−１と論理パス情報収集部５５−１と論理パス管理部５６−１と入出力部５７−１とを有する。これら各構成部分は、一方向又は双方向に、信号やデータの入出力が可能な様に接続されている。
【００３２】
エッジ情報収集部５１−１は、自エッジに設定されている加入者情報を収集する。エッジ情報管理部５２−１は、自エッジの利用状況を管理する。エッジ設定部５３−１は、自エッジを現用エッジに設定する。エッジ情報通知部５４−１は、エッジ情報と論理パス情報とを論理パス管理制御装置１０に通知する。論理パス情報収集部５５−１は、自エッジに設定されている論理パス情報を収集する。論理パス管理部５６−１は、自エッジと加入者収容装置との間に設定された論理パスを管理する。入出力部５７−１は、各種情報（例えば、エッジ情報、論理パス情報）の入出力を行う。論理パス設定部５８−１は、自エッジと加入者収容装置との間に論理パスを設定する。
【００３３】
以上、現用エッジ５０−１の構成を代表的に説明したが、冗長エッジ５０−２、５０−３、５０−Ｙの構成は、現用エッジ５０−１の構成と同様であるので、その図示及び詳細な説明は省略する。
【００３４】
次に、動作を説明する。
【００３５】
図８は、論理パス制御システム１の動作を説明するための図である。本実施例では、加入者収容装置（ＯＬＴ）４０−１と冗長エッジ５０−２とを例に採り、動作を説明するが、他の加入者収容装置及び他の冗長エッジに関しても同様の動作が可能である。
【００３６】
まずＳ１では、論理パス管理制御装置１０のエッジ情報収集部１４ｂは、現用エッジ５０−１へ情報取得信号を送信することにより、エッジ情報を収集する。Ｓ２では、現用エッジ５０−１は、エッジ情報を応答する。すなわち、現用エッジ５０−１は、論理パス管理部５６−１の論理パス情報と、エッジ情報管理部５２−１の加入者情報とを、論理パス管理制御装置１０へ送信し、論理パス管理制御装置１０は、論理パス情報と加入者情報とをエッジ情報格納部１３ｂへ格納する。
【００３７】
Ｓ３では、論理パス管理制御装置１０の加入者収容装置情報収集部１４ａは、加入者収容装置４０−１へ加入者情報取得信号を送信することにより、加入者収容装置情報を収集する。Ｓ４では、加入者収容装置４０−１は、加入者収容装置情報を応答する。すなわち、加入者収容装置４０−１は、加入者情報管理部４２−１の加入者数情報と、論理パス管理部４６−１の論理パス情報とを、論理パス管理制御装置１０へ送信し、論理パス管理制御装置１０は、加入者数情報と論理パス情報とを加入者収容装置情報格納部１３ａへ格納する。
【００３８】
Ｓ５では、論理パス管理制御装置１０の冗長エッジ向け論理パス計算部１２は、上記Ｓ１〜Ｓ４にて収集した情報を利用し、冗長エッジ向け論理パスの数を決定する。すなわち、冗長エッジ向け論理パス計算部１２は、上記Ｓ１〜Ｓ４にて収集した情報をソートし、冗長エッジ向け論理パス情報（図１参照）から、ＯＬＴ加入者数に応じた冗長エッジ向け論理パス数を決定する。論理パス数は、各加入者収容装置４０−１、４０−２、４０−Ｘ−１、４０−Ｘ毎に決定される。例えば、加入者収容装置４０−１、４０−２の加入者数はそれぞれ５、１０であるので、冗長エッジ向け論理パス計算部１２は、冗長エッジ向け論理パス数を１本に決定し、加入者収容装置４０−Ｘ−１、４０−Ｘの加入者数はそれぞれ７５０、１０００であるので、冗長エッジ向け論理パス数をＫ本に決定する。また、冗長エッジ向け論理パス計算部１２は、論理パスを設定する冗長エッジ（例えば、冗長エッジ５０−２）を、決定された論理パスの本数分決定する。
【００３９】
Ｓ６では、論理パス管理制御装置１０のエッジ設定部１６ｂは、Ｓ５で決定された冗長エッジ５０−２に対し、加入者収容装置４０−１への論理パスの設定を指示する。Ｓ７では、冗長エッジ５０−２の論理パス設定部５８−１は、上記指示に従い、加入者収容装置４０−１への論理パスを設定し、論理パス管理制御装置１０へ、論理パスの設定完了を応答する。
【００４０】
Ｓ８では、論理パス管理制御装置１０の加入者収容装置設定部１６ａは、加入者収容装置４０−１に対し、冗長エッジ５０−２への論理パスの設定を指示する。Ｓ９では、加入者収容装置４０−１の論理パス設定部４８−１は、上記指示に従い、冗長エッジ５０−２への論理パスを設定し、論理パス管理制御装置１０へ、論理パスの設定完了を応答する。
【００４１】
Ｓ１０では、論理パス管理制御装置１０のエッジ冗長管理制御装置連携部１７ｂは、エッジ冗長管理制御装置３０に対し、上記Ｓ６、Ｓ７にて設定された論理パスの情報を送信する。同様に、Ｓ１１では、論理パス管理制御装置１０の加入者収容装置管理制御装置連携部１７ａは、加入者収容装置管理制御装置２０に対し、上記Ｓ８、Ｓ９にて設定された論理パスの情報を送信する。
【００４２】
以上説明した様に、論理パス制御システム１、２は、複数の加入者収容装置（ＯＬＴ）４０−１、・・・、４０−Ｘと、複数の冗長エッジ５０−２、・・・、５０−Ｙと、複数の加入者収容装置４０−１、・・・、４０−Ｘと複数の冗長エッジ５０−２、・・・、５０−Ｙとの間の論理パスを制御する論理パス管理制御装置１０とを有する。論理パス管理制御装置１０は、冗長エッジ向け論理パス計算部１２と論理パス設定部１１ｂとを有する。冗長エッジ向け論理パス計算部１２は、複数の加入者収容装置４０−１、・・・、４０−Ｘが設定する上記論理パスの数を、各加入者収容装置４０−１、・・・、４０−Ｘ毎に決定する。論理パス設定部１１ｂは、冗長エッジ向け論理パス計算部１２により決定された数の論理パスを、複数の加入者収容装置４０−１、・・・、４０−Ｘと、複数の冗長エッジ５０−２、・・・、５０−Ｙとの間に設定する。
【００４３】
また、論理パス管理制御装置１０の冗長エッジ向け論理パス計算部１２は、複数の加入者収容装置４０−１、・・・、４０−Ｘの各々の加入者数に応じて、上記論理パスの数を決定するものとしてもよい。更に、論理パス管理制御装置１０の冗長エッジ向け論理パス計算部１２は、加入者数の少ない加入者収容装置ほど、上記論理パスの数が少なくなる様に、上記論理パスの数を決定するものとしてもよい。また、上記加入者数は、例えば、複数の加入者収容装置４０−１、・・・、４０−Ｘにより提供される特定サービスの加入者数である。
【００４４】
換言すれば、論理パス制御システム１、２は、加入者収容装置４０−１、４０−２、４０−Ｘ−１、４０−Ｘに収容されている加入者数または特定サービス加入者数を収集する機能と、その数に応じた数の論理パスを、予め定義した冗長エッジに向けて設定する機能とを有する。これにより、設定する論理パスが絞り込まれ、その結果、論理パス数の削減が可能となる。
【００４５】
（変形例）
続いて、上述した論理パス制御システム１、２の変形例を説明する。図９は、論理パス制御システム１、２の変形例を説明するための図である。図９に示す様に、加入者情報、特定サービス加入者数の各情報の収集方法には、４つのパターンがある。すなわち、論理パス管理制御装置１０から、現用エッジ５０−１及び冗長エッジ５０−２、５０−３、５０−Ｙと加入者収容装置４０−１とへ情報を収集する第１パターン（Ｔ１）、及び、これとは反対に、現用エッジ５０−１及び冗長エッジ５０−２、５０−３、５０−Ｙと加入者収容装置４０−１とから論理パス管理制御装置１０へ情報を送信する第２パターン（Ｔ２）がある。更に、論理パス管理制御装置１０から、エッジ冗長管理制御装置３０と加入者収容装置管理制御装置２０とへ情報を収集する第３パターン（Ｔ３）、及び、これとは反対に、エッジ冗長管理制御装置３０と加入者収容装置管理制御装置２０とから論理パス管理制御装置１０へ情報を送信する第４パターン（Ｔ４）がある。
【００４６】
また、加入者情報、特定サービス加入者数は、必ずしも、現用エッジ５０−１及び冗長エッジ５０−２、５０−３、５０−Ｙとエッジ冗長管理制御装置３０と加入者収容装置４０−１と加入者収容装置管理制御装置２０との全ての装置から取得される必要は無く、少なくとも１つの装置から取得されるものとしてもよい。更に、加入者情報、特定サービス加入者数、論理パス情報の収集タイミングに関しても、上記４つのパターンの各々につき、所定周期で定期的に収集する方法と、管理者が定義した時刻（定刻）に収集する方法との２パターンを適用可能である。
【００４７】
（論理パス制御プログラム）
図１０は、論理パス制御プログラムによる情報処理がコンピュータ１００を用いて具体的に実現されることを示す図である。図１０に示す様に、コンピュータ１００は、例えば、メモリ１０１と、ＣＰＵ（Central  Processing  Unit）１０２と、ハードディスクドライブインタフェース１０３と、ディスクドライブインタフェース１０４と、シリアルポートインタフェース１０５と、ビデオアダプタ１０６と、ネットワークインタフェース１０７とを有し、これらの各部はバスＣによって接続される。
【００４８】
メモリ１０１は、図１０に示す様に、ＲＯＭ（Read  Only  Memory）１０１ａ及びＲＡＭ（Random  Access  Memory）１０１ｂを含む。ＲＯＭ１０１ａは、例えば、ＢＩＯＳ（Basic  Input  Output  System）等のブートプログラムを記憶する。ハードディスクドライブインタフェース１０３は、図１０に示す様に、ハードディスクドライブ１０８に接続される。ディスクドライブインタフェース１０４は、図１０に示す様に、ディスクドライブ１０９に接続される。例えば磁気ディスクや光ディスク等の着脱可能な記憶媒体が、ディスクドライブ１０９に挿入される。シリアルポートインタフェース１０５は、図１０に示す様に、例えばマウス１１０、キーボード１１１に接続される。ビデオアダプタ１０６は、図１０に示す様に、例えばディスプレイ１１２に接続される。
【００４９】
ここで、図１０に示す様に、ハードディスクドライブ１０８は、例えば、ＯＳ（Operating  System）１０８ａ、アプリケーションプログラム１０８ｂ、プログラムモジュール１０８ｃ、プログラムデータ１０８ｄ、加入者情報、エッジ情報、論理パス情報等を記憶する。すなわち、開示の技術に係る論理パス制御プログラムは、コンピュータ１００によって実行される指令が記述されたプログラムモジュール１０８ｃとして、例えばハードディスクドライブ１０８に記憶される。具体的には、上記実施例で説明した論理パス管理部１１ａ、論理パス設定部１１ｂ、冗長エッジ向け論理パス計算部１２、加入者収容装置情報格納部１３ａ、エッジ情報格納部１３ｂ、加入者収容装置情報収集部１４ａ、エッジ情報収集部１４ｂ、入出力部１５、加入者収容装置設定部１６ａ、エッジ設定部１６ｂ、加入者収容装置管理制御装置連携部１７ａ、エッジ冗長管理制御装置連携部１７ｂの各々と同様の情報処理を実行する各種手順が記述されたプログラムモジュール１０８ｃが、ハードディスクドライブ１０８に記憶される。また、論理パス制御プログラムによる情報処理に用いられるデータは、プログラムデータ１０８ｄとして、例えばハードディスクドライブ１０８に記憶される。そして、ＣＰＵ１０２が、ハードディスクドライブ１０８に記憶されたプログラムモジュール１０８ｃやプログラムデータ１０８ｄを必要に応じてＲＡＭ１０１ｂに読み出し、上記各種手順を実行する。
【００５０】
なお、論理パス制御プログラムに係るプログラムモジュール１０８ｃやプログラムデータ１０８ｄは、ハードディスクドライブ１０８に記憶される場合に限られず、例えば着脱可能な記憶媒体に記憶され、ディスクドライブ１０９等を介してＣＰＵ１０２によって読み出されてもよい。あるいは、論理パス制御プログラムに係るプログラムモジュール１０８ｃやプログラムデータ１０８ｄは、ネットワーク（ＬＡＮ（Local  Area  Network）、ＷＡＮ（Wide  Area  Network）等）を介して接続された他のコンピュータに記憶され、ネットワークインタフェース１０７を介してＣＰＵ１０２によって読み出されてもよい。
【００５１】
なお、論理パス管理制御装置１０の参照する冗長エッジ向け論理パス数の値は、必ずしも固定値でなくてもよく、ＯＬＴ加入者数や加入者収容装置数、あるいは、キャリア通信網におけるトラヒック量等に応じて、システム管理者等が可変的に設定するものとしてもよい。更に、加入者収容装置４０−１、４０−２、４０−Ｘ−１、４０−Ｘから、決定された本数の論理パスを設定する冗長エッジの選択方法に関しても、システム管理者等が予め定義しておく方法に限らない。例えば、論理パス管理制御装置１０の冗長エッジ向け論理パス計算部１２は、論理パスを設定する加入者収容装置からの距離に基づき、距離の近い冗長エッジから優先的に選択してもよいし、利用中の論理パス数の少ない冗長エッジから優先的に選択してもよい。あるいは、冗長エッジ向け論理パス計算部１２は、リソース状況を基に、メモリ空き容量の大きい冗長エッジやＣＰＵ負荷率の低い冗長エッジを、論理パスを設定する冗長エッジとして優先的に選択するものとしてもよい。また、冗長エッジ向け論理パス計算部１２は、論理パスを設定する冗長エッジの選択に際して、ＱｏＳ（Quality  of  Service）、通信データ量、通信料金等を勘案してもよい。
【００５２】
上記実施例及び変形例では、現用エッジ５０−１、冗長エッジ５０−２、５０−３、・・・、５０−Ｙとして、エッジルータ等のルータ装置を想定したが、上述した論理パス制御技術は、これに限らず、リピータ、ブリッジ、ゲートウェイ、スイッチングハブ等、他のネットワーク装置への適用も可能である。
【００５３】
また、上述した論理パス制御システム１、２の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、論理パス管理制御装置１０に関し、加入者収容装置情報格納部１３ａとエッジ情報格納部１３ｂ、あるいは、加入者収容装置情報収集部１４ａとエッジ情報収集部１４ｂを１つの構成要素として統合してもよい。反対に、冗長エッジ向け論理パス計算部１２に関し、収集した加入者収容装置情報及びエッジ情報をソートする部分と、ＯＬＴ加入者数に応じた冗長エッジ向け論理パス数を決定する部分とに分散してもよい。更に、加入者情報、エッジ情報、論理パス情報等を格納するハードディスクドライブ１０８を、論理パス制御システム１、２の外部装置として、ネットワークやケーブル経由で接続する様にしてもよい。
【符号の説明】
【００５４】
１、２  論理パス制御システム
１０  論理パス管理制御装置
１１ａ  論理パス管理部
１１ｂ  論理パス設定部
１２  冗長エッジ向け論理パス計算部
１３ａ  加入者収容装置情報格納部
１３ｂ  エッジ情報格納部
１４ａ  加入者収容装置情報収集部
１４ｂ  エッジ情報収集部
１５  入出力部
１６ａ  加入者収容装置設定部
１６ｂ  エッジ設定部
１７ａ  加入者収容装置管理制御装置連携部
１７ｂ  エッジ冗長管理制御装置連携部
２０  加入者収容装置管理制御装置
２１  論理パス設定部
２２  論理パス管理部
２３  論理パス管理制御装置連携部
２４  入出力部
２５  加入者情報収集部
２６  加入者情報管理部
３０  エッジ冗長管理制御装置
３１  論理パス設定部
３２  論理パス管理部
３３  論理パス管理制御装置連携部
３４  入出力部
３５  エッジ情報収集部
３６  エッジ情報管理部
４０−１、４０−２、・・・、４０−Ｘ−１、４０−Ｘ  加入者収容装置（ＯＬＴ）
４１−１  加入者情報収集部
４２−１  加入者情報管理部
４３−１  加入者情報設定部
４４−１  加入者情報通知部
４５−１  論理パス情報収集部
４６−１  論理パス管理部
４７−１  入出力部
４８−１  論理パス設定部
５０−１  現用エッジ
５０−２、５０−３、・・・、５０−Ｙ  冗長エッジ
５１−１  エッジ情報収集部
５２−１  エッジ情報管理部
５３−１  エッジ設定部
５４−１  エッジ情報通知部
５５−１  論理パス情報収集部
５６−１  論理パス管理部
５７−１  入出力部
５８−１  論理パス設定部
１００  コンピュータ
１０１  メモリ
１０１ａ  ＲＯＭ
１０１ｂ  ＲＡＭ
１０２  ＣＰＵ
１０３  ハードディスクドライブインタフェース
１０４  ディスクドライブインタフェース
１０５  シリアルポートインタフェース
１０６  ビデオアダプタ
１０７  ネットワークインタフェース
１０８  ハードディスクドライブ
１０８ａ  ＯＳ
１０８ｂ  アプリケーションプログラム
１０８ｃ  プログラムモジュール
１０８ｄ  プログラムデータ
１０９  ディスクドライブ
１１０  マウス
１１１  キーボード
１１２  ディスプレイ
２００  論理パス制御システム
２００Ｎ  論理パスネットワーク
２０１Ｓ、２０２Ｓ、２０３Ｓ、２０４Ｓ  切替わり通知信号
２１０  論理パス管理制御装置
２２０  加入者収容装置管理制御装置
２３０  エッジ冗長管理制御装置
２４０−１、２４０−２、・・・、２４０−Ｘ−１、２４０−Ｘ  加入者収容装置（ＯＬＴ）
２５０−１  現用エッジ
２５０−２、２５０−３、・・・、２５０−Ｙ  冗長エッジ
Ｃ  バス
Ｌ１ａ、Ｌ１ｂ、Ｌ１ｃ、Ｌ２ａ、Ｌ２ｂ、Ｌ２ｃ、Ｌ３ａ、Ｌ３ｂ、Ｌ３ｃ、Ｌ３ｄ、Ｌ４ａ、Ｌ４ｂ、Ｌ４ｃ、Ｌ４ｄ、Ｌ２０１ａ、Ｌ２０１ｂ、Ｌ２０１ｃ、Ｌ２０１ｄ、Ｌ２０２ａ、Ｌ２０２ｂ、Ｌ２０２ｃ、Ｌ２０２ｄ、Ｌ２０３ａ、Ｌ２０３ｂ、Ｌ２０３ｃ、Ｌ２０３ｄ、Ｌ２０４ａ、Ｌ２０４ｂ、Ｌ２０４ｃ、Ｌ２０４ｄ  論理パス
Ｎ  論理パスネットワーク
【図１】
0006272251.tif 000002
【図２】
0006272251.tif 000003
【図３】
0006272251.tif 000004
【図４】
0006272251.tif 000005
【図５】
0006272251.tif 000006
【図６】
0006272251.tif 000007
【図７】
0006272251.tif 000008
【図８】
0006272251.tif 000009
【図９】
0006272251.tif 000010
【図１０】
0006272251.tif 000011
【図１１】
0006272251.tif 000012